(57)【要約】【課題】ＩＰ電話の仕様が変更になっても装置のコストへの影響を受けることなくインターネットリアルタイムファクシミリ通信を可能にする。【解決手段】自装置と関連付けるＩＰ電話端末のアドレス情報をＩＰ電話管理部２３に登録し、ＩＰプロトコル監視部２５が通信手段３０を介してＩＰプロトコルを取得し、登録されたＩＰ電話端末（関連付けられたＩＰ電話端末）の通信状態を監視する。通信状態の監視中、事前捕捉先発呼制御部１８３は、関連付けられたＩＰ電話端末が発呼した相手先端末のアドレス情報をＲＡＭ１７に記憶し、該ＩＰ電話端末と前記相手先端末との通信成立後、操作／表示部１２での手動送信開始操作に基づき、ＲＡＭ１７に記憶済みのアドレス情報を用いて発呼する。【選択図】  図１
2004282226.tif 000002
【特許請求の範囲】
【請求項１】
ＩＰプロトコルを用いてファクシミリ通信を行うインターネットファクシミリ装置において、
自装置と関連付けるＩＰ電話端末のアドレス情報を登録する登録手段と、
前記アドレス情報の登録により、自装置と関連付けられたＩＰ電話端末と他の端末との通信状態を監視する監視手段と、
前記関連付けられたＩＰ電話端末が発呼した相手先端末のアドレス情報を記憶し、該ＩＰ電話端末と前記相手先端末との通信成立後、手動送信開始操作に基づき、前記記憶したアドレス情報を用いて前記相手先端末に発呼する発呼制御手段と
を具備することを特徴とするインターネットファクシミリ装置。
【請求項２】
前記登録手段は、
前記関連付けるＩＰ電話端末のアドレス情報として、該ＩＰ電話端末のＩＰアドレスとＩＰ電話番号を対応付けて記憶する記憶手段
を具備することを特徴とする請求項１記載のインターネットファクシミリ装置。
【請求項３】
前記監視手段は、
前記関連付けられたＩＰ電話端末のＩＰプロトコルを監視し、該ＩＰプロトコルにより前記相手先端末との間で送受されるプロトコル情報から当該ＩＰ電話端末の通信状態を判定するＩＰプロトコル監視手段から成る
ことを特徴とする請求項１記載のインターネットファクシミリ装置。
【請求項４】
前記監視手段の監視結果に基づき、前記関連付けられたＩＰ電話端末の通信状態を報知する報知手段
を具備することを特徴とする請求項１または３記載のインターネットファクシミリ装置。
【請求項５】
前記報知手段は、
前記ＩＰ電話端末の通信状態を示すメッセージを表示する表示制御手段から成る
ことを特徴とする請求項４記載のインターネットファクシミリ装置。
【請求項６】
ＩＰプロトコルを用いてファクシミリ通信を行うインターネットファクシミリ装置において、
自装置と関連付けるＩＰ電話端末のアドレス情報を登録する登録手段と、
前記アドレス情報の登録により、自装置と関連付けられたＩＰ電話端末と他の端末との通信状態を監視する監視手段と、
前記監視手段の監視結果に基づき、前記関連付けられたＩＰ電話端末の通信状態を報知する報知手段と
を具備することを特徴とするインターネットファクシミリ装置。
【請求項７】
前記監視手段は、
前記関連付けられたＩＰ電話端末のＩＰプロトコルを監視し、該ＩＰプロトコルにより前記相手先端末との間で送受されるプロトコル情報から当該ＩＰ電話端末の少なくとも発呼中、通信中及び通信終了の通信状態を判定するＩＰプロトコル監視手段から成る
ことを特徴とする請求項６記載のインターネットファクシミリ装置。
【請求項８】
前記報知手段は、
前記ＩＰ電話端末の通信状態を示すメッセージを表示する表示制御手段から成る
ことを特徴とする請求項６または７記載のインターネットファクシミリ装置。
【請求項９】
ＩＰプロトコルを用いてファクシミリ通信を行うインターネットファクシミリ装置の制御方法において、
自装置と関連付けるＩＰ電話端末のアドレス情報を登録する登録ステップと、
前記アドレス情報の登録により、自装置と関連付けられたＩＰ電話端末と他の端末との通信状態を監視する監視ステップと、
前記通信状態の監視中、前記関連付けられたＩＰ電話端末が発呼した相手先端末のアドレス情報を記憶する相手先記憶ステップと、
前記関連付けられたＩＰ電話端末と前記相手先端末との通信成立後、手動送信開始操作を受付ける手動送信受付けステップと、
前記手動送信開始操作に基づき、前記相手先記憶ステップで記憶したアドレス情報を用いて前記相手先端末に発呼する発呼制御ステップと
を具備することを特徴とするインターネットファクシミリ装置の制御方法。
【請求項１０】
前記監視ステップでの監視結果に基づき、前記関連付けられたＩＰ電話端末の通信状態を報知する報知ステップ
を更に具備することを特徴とする請求項９記載のインターネットファクシミリ装置の制御方法。
【請求項１１】
前記監視ステップでは、
前記関連付けられたＩＰ電話端末のＩＰプロトコルを監視し、該ＩＰプロトコルにより前記相手先端末との間で送受されるプロトコル情報から当該ＩＰ電話端末の少なくとも発呼中、通信中及び通信終了の通信状態を判定する
ことを特徴とする請求項９または１０記載のインターネットファクシミリ装置の制御方法。
【請求項１２】
前記報知ステップでは、
前記ＩＰ電話端末の通信状態を示すメッセージを表示する
ことを特徴とする請求項１０または１１記載のインターネットファクシミリ装置の制御方法。
【発明の詳細な説明】
【０００１】
【発明の属する技術分野】
本発明は、ＩＰ（Ｉｎｔｅｒｎｅｔ  Ｐｒｏｔｏｃｏｌ）プロトコルを用いてファクシミリ通信を行うインターネットファクシミリ装置に係わり、詳しくは、自装置と関連付けられたＩＰ電話端末の通信状態を監視し、該ＩＰ電話端末と相手先端末との通信成立後に当該相手先端末のアドレス情報を利用して手動によるファクシミリ送信を行えるようにしたインターネットファクシミリ装置及びその制御方法に関する。
【０００２】
【従来の技術】
電話回線を使ったファクシミリ装置は、通常、電話の機能とファクシミリ機能とを１つの装置に備えている。
【０００３】
一方、今日、ＩＰ（Ｉｎｔｅｒｎｅｔ  Ｐｒｏｔｏｃｏｌ）網に接続し、インターネット上でリアルタイムにファクシミリ通信を行えるリアルタイムインターネットファクシミリ装置（インターネットＦＡＸ）が普及しつつある。
【０００４】
このインターネットＦＡＸにおいても、当然の如く、ＩＰ網に対応可能な電話の機能とファクシミリ機能とを１つの装置に備えようとの発想がある。
【０００５】
この場合、インターネットＦＡＸに、ＩＰ網に対応可能ないわゆるインターネット電話の機能を組み込みことが考えられる。
【０００６】
下記特許文献１には、ＩＰ電話機能（図６：内蔵電話部６０１）を内蔵したインターネット対応のファクシミリ装置が開示されている。
【０００７】
インターネット電話のベースとなるのは、ＴＣＰ／ＩＰネットワーク（インターネット）上で音声データを送受するＶｏＩＰ（Ｖｏｉｃｅ  ｏｖｅｒ  ＩＰ）という技術である。
【０００８】
ＶｏＩＰにおいて、送信すべき音声信号を符号化したり、受信した符号化音声信号を復号化する符号／復号化（コーデック）方式には、ＩＴＵ−Ｔ  Ｇ．７１１（ＰＣＭ）、Ｇ．７２２（ＳＢ−ＡＤＰＣＭ）、Ｇ．７２６（ＡＤＰＣＭ）、Ｇ．７２８（ＣＥＬＰ）など多くの種類がある。
【０００９】
従って、インターネットＦＡＸとインターネット電話を１つの装置で実現しようとすれば、電話機能に関して、上述した種々のコーデック方式をサポートする必要がある。
【００１０】
ところが、これらのコーデック方式は、今後、更に数が増える可能性がある。
【００１１】
従って、インターネット電話機能を内蔵した従来のインターネットＦＡＸでは、電話機能部に関して、コーデック方式が増える度にその増えた分のコーデック方式をサポートしていく必要性が生じ、頻繁な設計変更を余儀なくされてコスト高を招来することになった。
【００１２】
【特許文献１】
特開２００２−５１１６１号公報
【発明が解決しようとする課題】
上述したように、従来のインターネットファクシミリ装置では、インターネット電話（ＩＰ電話）機能を組み込んで１つの装置として実現しようとした場合、種々のコーデック方式のサポートが不可欠な電話機能部に関して、コーデック方式が増えるたびにこれに対応する必要性に迫られ、頻繁な設計変更によりコスト高を招来するという問題点があった。
【００１３】
本発明は上記問題点を解消し、ＩＰ電話の仕様（コーデック方式）が変更になっても装置のコストへの影響を受けることがなく、しかもＩＰ網に対応する電話機能利用による良好な操作性を損なうことなくインターネット上でのリアルタイムファクシミリ通信を行うことができるインターネットファクシミリ装置及びその制御方法を提供することを目的とする。
【００１４】
【課題を解決するための手段】
上記目的を達成するために、請求項１記載の発明は、ＩＰプロトコルを用いてファクシミリ通信を行うインターネットファクシミリ装置において、自装置と関連付けるＩＰ電話端末のアドレス情報を登録する登録手段と、前記アドレス情報の登録により、自装置と関連付けられたＩＰ電話端末と他の端末との通信状態を監視する監視手段と、前記関連付けられたＩＰ電話端末が発呼した相手先端末のアドレス情報を記憶し、該ＩＰ電話端末と前記相手先端末との通信成立後、手動送信開始操作に基づき、前記記憶したアドレス情報を用いて前記相手先端末に発呼する発呼制御手段とを具備することを特徴とする。
【００１５】
請求項２記載の発明は、上記請求項１記載の発明において、前記登録手段は、前記関連付けるＩＰ電話端末のアドレス情報として、該ＩＰ電話端末のＩＰアドレスとＩＰ電話番号を対応付けて記憶する記憶手段を具備することを特徴とする。
【００１６】
請求項３記載の発明は、上記請求項１記載の発明において、前記監視手段は、前記関連付けられたＩＰ電話端末のＩＰプロトコルを監視し、該ＩＰプロトコルにより前記相手先端末との間で送受されるプロトコル情報から当該ＩＰ電話端末の通信状態を判定するＩＰプロトコル監視手段から成ることを特徴とする。
【００１７】
請求項４記載の発明は、上記請求項１または３記載の発明において、前記監視手段の監視結果に基づき、前記関連付けられたＩＰ電話端末の通信状態を報知する報知手段を具備することを特徴とする。
【００１８】
請求項５記載の発明は、上記請求項４記載の発明において、前記報知手段は、前記ＩＰ電話端末の通信状態を示すメッセージを表示する表示制御手段から成ることを特徴とする。
【００１９】
請求項６記載の発明は、ＩＰプロトコルを用いてファクシミリ通信を行うインターネットファクシミリ装置において、自装置と関連付けるＩＰ電話端末のアドレス情報を登録する登録手段と、前記アドレス情報の登録により、自装置と関連付けられたＩＰ電話端末と他の端末との通信状態を監視する監視手段と、前記監視手段の監視結果に基づき、前記関連付けられたＩＰ電話端末の通信状態を報知する報知手段とを具備することを特徴とする。
【００２０】
請求項７記載の発明は、上記請求項６記載の発明において、前記監視手段は、前記関連付けられたＩＰ電話端末のＩＰプロトコルを監視し、該ＩＰプロトコルにより前記相手先端末との間で送受されるプロトコル情報から当該ＩＰ電話端末の少なくとも発呼中、通信中及び通信終了の通信状態を判定するＩＰプロトコル監視手段から成ることを特徴とする。
【００２１】
請求項８記載の発明は、上記請求項６または７記載の発明において、前記報知手段は、前記ＩＰ電話端末の通信状態を示すメッセージを表示する表示制御手段から成ることを特徴とする。
【００２２】
請求項９記載の発明は、ＩＰプロトコルを用いてファクシミリ通信を行うインターネットファクシミリ装置の制御方法において、自装置と関連付けるＩＰ電話端末のアドレス情報を登録する登録ステップと、前記アドレス情報の登録により、自装置と関連付けられたＩＰ電話端末と他の端末との通信状態を監視する監視ステップと、前記通信状態の監視中、前記関連付けられたＩＰ電話端末が発呼した相手先端末のアドレス情報を記憶する相手先記憶ステップと、前記関連付けられたＩＰ電話端末と前記相手先端末との通信成立後、手動送信開始操作を受付ける手動送信受付けステップと、前記手動送信開始操作に基づき、前記相手先記憶ステップで記憶したアドレス情報を用いて前記相手先端末に発呼する発呼制御ステップとを具備することを特徴とする。
【００２３】
請求項１０記載の発明は、上記請求項９記載の発明において、前記監視ステップでの監視結果に基づき、前記関連付けられたＩＰ電話端末の通信状態を報知する報知ステップを更に具備することを特徴とする。
【００２４】
請求項１１記載の発明は、上記請求項９または１０記載の発明において、前記監視ステップでは、前記関連付けられたＩＰ電話端末のＩＰプロトコルを監視し、該ＩＰプロトコルにより前記相手先端末との間で送受されるプロトコル情報から当該ＩＰ電話端末の少なくとも発呼中、通信中及び通信終了の通信状態を判定することを特徴とする。
【００２５】
請求項１２記載の発明は、上記請求項１０または１１記載の発明において、前記報知ステップでは、前記ＩＰ電話端末の通信状態を示すメッセージを表示することを特徴とする。
【００２６】
【発明の実施の形態】
以下、本発明の実施形態について添付図面を参照して詳細に説明する。
【００２７】
図１は、本発明の第１の実施例に係るインターネットファクシミリ装置（以下、ファクシミリ装置と略称する）１０−１の機能構成を示すブロック図である。
【００２８】
このファクシミリ装置１０−１は、装置全体の制御処理を行なう中央処理装置（ＣＰＵ）１１、タッチパネル等で構成され、使用者がこの装置を動作させるための各種操作（発呼操作等）を行なったり、各種情報を表示するための操作／表示部１２、送信原稿やコピー原稿を読み取る読取部１３、受信した画像データや読取った画像データを記録紙に記録して出力する記録部１４、画像データに対する符号化、復号化、拡大、縮小等の処理を行う画像処理部１５、受信した画像データあるいは読み取った画像データを格納する画像蓄積部１６、制御プログラムが使用するワークエリア（装置の動作を制御するシステムデータや各種情報を記憶する）となるＲＡＭ１７、ファクシミリ全体を制御するプログラム（ＲＯＭ）を有するシステム制御部１８、ＩＴＵ−Ｔ勧告Ｔ．３８手順に従ってリアルタイム型通信プロトコルを制御するＴ．３８伝送制御部１９、ＩＰ（Ｉｎｔｅｒｎｅｔ  Ｐｒｏｔｏｃｏｌ）網４０に接続され、インターネットを介して種々のデータを送受する通信制御を行うインターネット通信制御部２０、ＩＥＴＦ（Ｉｎｔｅｒｎｅｔ  Ｅｎｇｉｎｅｅｒｉｎｇ  Ｔａｓｋ  Ｆｏｒｃｅ）のＲＦＣ３２６１（ＳＩＰ：Ｓｅｓｓｉｏｎ  Ｉｎｉｔｉａｔｉｏｎ  Ｐｒｏｔｏｃｏｌ）及びＲＦＣ２３２７（ＳＤＰ：Ｓｅｓｓｉｏｎ  Ｄｅｓｃｒｉｐｔｉｏｎ  Ｐｒｏｔｏｃｏｌ）に規定された手順を使用してリアルタイム型インターネットＦＡＸ  Ｔ３８における呼の確立、維持あるいは終了の制御を行なうＳＩＰ呼制御部２１（一例として、インターネット通信制御部２０内に設けられる）、自装置１０−１と関連付けて使用するＩＰ電話端末の関連付けや、該関連付けられたＩＰ電話端末の状態を管理するＩＰ電話管理部２３、インターネット通信制御部２０を介して自装置以外のＩＰプロトコルを監視し、ＩＰ電話管理部２３で管理されているＩＰ電話端末のプロトコル情報を入手してその通信状態を監視するＩＰプロトコル監視部２５、上述した装置各部の間で相互にデータをやり取りするシステムバス２７を備えて構成される。
【００２９】
ＩＰ電話管理部２３には、当該ファクシミリ装置１０−１と関連付けして利用するＩＰ電話端末と本ファクシミリ装置１０−１との関連付けを行うための情報を登録する関連端末登録テーブルが設けられる。
【００３０】
図２は、関連端末登録テーブル２３１の一例を示す図である。
【００３１】
この関連端末登録テーブル２３１には、自装置と関連付けして利用するＩＰ電話端末のアドレス情報が登録されている。具体的には、図２に示すように、自装置と関連付けして利用するＩＰ電話端末（Ｎｏ．１）のＩＰアドレスと、該ＩＰアドレスに対応するＩＰ電話番号とが登録されている。
【００３２】
このように、関連端末登録テーブル２３１にアドレス情報（ＩＰアドレス及びＩＰ電話番号）を登録することにより、該アドレス情報を有するＩＰ電話端末が、自装置１０−１と連携して用いるＩＰ電話端末として関連付けられることになる。
【００３３】
図３は、本発明に係わるインターネットファクシミリ装置１０−１とこれに関連付けて使用されるＩＰ電話端末を含むネットワークの構成を示す図である。
【００３４】
図３において、ファクシミリ装置１０Ａは、本発明に係わるインターネットＦＡＸ（図１のファクシミリ装置１０−１に相当）であり、ＩＰ電話端末５０Ａはファクシミリ装置１０Ａに関連付けされたＩＰ電話端末である。
【００３５】
この場合、ファクシミリ装置１０ＡのＩＰ電話管理部２３の関連端末登録テーブル２３１には、ＩＰ電話端末５０Ａのアドレス情報（ＩＰアドレス及びＩＰ電話番号）が登録され、ファクシミリ装置１０Ａに対してＩＰ電話端末５０Ａが関連付けられている。以下の説明において、ＩＰ電話端末５０Ａを、関連する（ファクシミリ装置１０Ａに）ＩＰ電話端末と呼ぶこととする。
【００３６】
図３において、ファクシミリ装置１０Ａと、関連するＩＰ電話端末５０ＡとはＬＡＮ等の通信手段３０を介して相互に接続されると共に、ＩＰ網４０に接続される。
【００３７】
また、ＩＰ網４０には、インターネットファクシミリ装置（以下、ファクシミリ装置と略称する）１０Ｂや、ＩＰ電話端末５０Ｂ等、他の複数のＩＰ通信装置が接続されている。
【００３８】
なお、この例では、ファクシミリ装置１０ＢとＩＰ電話５０Ｂは独立した構成としているが、両者を一体化した構成も可能である。
【００３９】
ＩＰ電話端末５０Ａは、ＩＰプロトコルをサポートしている。これにより、ＩＰ電話端末５０Ａは、ＩＰプロトコルを用いて、ＩＰ網４０に接続されるＩＰ電話端末５０Ｂやファクシミリ装置１０Ｂと通信を確立することができる。
【００４０】
図４は、ＩＰ電話端末５０Ａ（５０Ｂも同様）の機能構成を示すブロック図である。
【００４１】
図４に示すように、ＩＰ電話端末５０は、相手先端末との間のＩＰプロトコルによる通信制御や、音声信号をＩＰパケット化して送受するなどの制御を行うＩＰ網制御部５１、所定のコーデック方式に対応して、変調送信音声信号の符号化並びに符号化受信音声信号の復号化を行う符号／復号化部（コーデック）５２、送信音声信号の変調並びに復号化受信音声信号の復調を行う変復調部（モデム）５３、変復調部５３で復調された受話音声信号を送受器５５に送出し、送受器５５からの送話音声信号を変復調部５３に送出する音声処理部５４、送話音声を音声信号に変換するマイクと受話音声信号を受話音声として再生するスピーカから成る送受器５５、各種情報を表示する表示部５６、ダイヤル操作等の各種情報の入力操作を行う操作部５７、装置全体の制御を行なう制御部５８を具備して構成される。
【００４２】
かかる構成を有するＩＰ電話端末５０Ａでは、操作部５７で例えばＩＰ電話端末５０Ｂ宛のダイヤル操作がなされると、ＩＰ網制御部５１がＩＰプロトコルを実施して相手先端末であるＩＰ電話端末５０Ｂに発呼する。
【００４３】
相手先ＩＰ電話端末５０Ｂでは、ＩＰ網制御部５１が着呼を受けると、制御部５８がサウンダ（図示せず）を駆動して呼出音を発生し、これによりユーザが送受器５５をオフフックすると、制御部５８がＩＰ網制御部５１を駆動して発呼元のＩＰ電話端末５０Ａとの通信を確立する。
【００４４】
一方、発呼元のＩＰ電話端末５０Ａも、相手先ＩＰ電話端末５０Ｂが着呼応答することにより、該相手先と通信を確立する。以後、ＩＰ電話端末５０Ａと５０Ｂは送受器２５を用いて相互に通話を行なうことができる。
【００４５】
同様に、ＩＰ電話端末５０Ａは、ＩＰプロトコルを用いて、ＩＰ網４０に接続されるファクシミリ装置１０Ｂにも発呼することができる。
【００４６】
図５は、ＩＰ電話端末が実施するＩＰプロトコル上で扱われるプロトコル情報の１つである発呼情報の構成を示す図である。
【００４７】
この発呼情報には、少なくとも発呼先アドレス情報及び発呼元アドレス情報が含まれる。
【００４８】
ＩＰ電話端末５０ＡはＩＰ電話端末５０Ｂ（あるいは、ファクシミリ装置１０Ｂ）への発呼時、発呼元アドレス情報を自装置のアドレス情報（図２参照）とし、発呼先アドレス情報をＩＰ電話端末５０Ｂ（あるいは、ファクシミリ装置１０Ｂ）のアドレス情報とする発呼情報をＩＰ網４０に送信する。
【００４９】
発呼後、ＩＰ電話端末５０Ａは、ＩＰプロトコルにより、相手先端末であるＩＰ電話端末５０Ｂまたはファクシミリ装置１０Ｂとの間で、適宜なプロトコル情報（手順信号）を交信しながら通信確立の制御を行なう。
【００５０】
さて、図３に示すネットワーク構成において、ファクシミリ装置１０Ａと、関連するＩＰ電話端末５０Ａとは、典型的な連携運用動作として、ＩＰ電話端末５０Ａを用いてファクシミリ装置１０Ｂに発呼し、その間にファクシミリ装置１０ＡでＩＰ電話端末５０Ａの通信状態を監視し、ＩＰ電話端末５０Ａとファクシミリ装置１０Ｂとの通信が確立した後、ファクシミリ装置１０Ａで手動ファクシミリ送信動操作を行うことにより、ファクシミリ装置１０Ａからファクシミリ装置１０Ｂにファクシミリ送信する動作を行なう。
【００５１】
この場合、ファクシミリ装置１０Ａでは、ＩＰプロトコル監視部２５が、関連するＩＰ電話端末５０Ａの通信状態の監視を行う。また、例えば、システム制御部１８内に設けられる事前捕捉先発呼制御部１８３は、上記通信状態の監視中、関連するＩＰ電話端末５０Ａが相手先に発呼した時にその発呼先のアドレス情報を記憶しておき（発呼先の事前捕捉）、その後、当該相手先と関連するＩＰ電話端末５０Ａとの通信が成立した後、上記記憶しておいた相手先アドレス情報に基づく発呼（事前捕捉した発呼先へ先発呼）の制御を行う。
【００５２】
ここで、関連するＩＰ電話端末５０Ａとの連携運用に係わるファクシミリ装置１０Ａの処理動作を図６に示すフローチャートを参照して説明する。
【００５３】
この連携運用に際し、ユーザはＩＰ電話端末５０Ａを用いてファクシミリ装置１０Ｂに発呼する。
【００５４】
発呼後、ＩＰ電話端末５０Ａとファクシミリ装置１０Ｂとの間では、ＩＰプロトコルに従った制御手順（ＩＰプロトコル情報の送受）が実施される。
【００５５】
この間、ファクシミリ装置１０Ａでは、例えば、ユーザによる所定の監視開始操作により、ＩＰプロトコル監視部２５が、関連するＩＰ電話端末５０Ａのプロトコルの監視を開始する（ステップＳ６０１）。
【００５６】
具体的に、ＩＰプロトコル監視部２５は、インターネット通信制御部２１を介して通信手段３０上の全てのＩＰプロトコルのプロトコル情報を取得すると共に、該取得したプロトコル情報の中に、予め関連端末登録テーブル２３１に登録しているＩＰ電話端末１０Ａのアドレス情報があるかどうかをチェックし（関連するＩＰ電話端末１０Ａのアドレス情報をキーに検索する）、当該アドレス情報があれば、該ＩＰプロトコルが関連するＩＰ電話端末５０Ａが実施するＩＰプロトコルであると特定し、以後、このＩＰプロトコル上のプロトコル情報を取得して当該ＩＰ電話端末５０Ａの通信状態を判定する。
【００５７】
上記プロトコルの監視中、プロトコル情報として発呼情報（図５参照）が取得されると、ＩＰプロトコル監視部２５は、該発呼情報の発呼元アドレス情報を参照し、該発呼元アドレス情報が関連するＩＰ電話端末５０Ａのアドレス情報に一致するかどうかにより、関連するＩＰ電話端末５０Ａが発呼したかどうかをチェックする（ステップＳ６０２）。
【００５８】
ここで、関連するＩＰ電話端末５０Ａが発呼したと判定された場合（ステップＳ６０２ＹＥＳ）、システム制御部１８（事前捕捉先発呼制御部１８３）は、既に取得している発呼情報から発呼先アドレス情報を読み出し、これを関連するＩＰ電話端末５０Ａの発呼先の情報として例えばＲＡＭ１７に記憶する（ステップＳ６０３）。
【００５９】
その後、ＩＰプロトコル監視部２５は、関連するＩＰ電話端末５０ＡのＩＰプロトコルの進行に合わせて取り込まれたＩＰプロトコル情報に基づき、該ＩＰ電話端末５０Ａと発呼先であるファクシミリ装置１０Ｂとの通信が成立したかどうかをチェックする（ステップＳ６０４）。
【００６０】
ここで、ＩＰ電話端末５０Ａと相手先のファクシミリ装置１０Ｂの通信が成立しなかった場合（ステップＳ６０４ＮＯ）、事前捕捉先発呼制御部１８３は、既にＲＡＭ１７に記憶している発呼先のアドレス情報を削除し（ステップＳ６１１）、処理を終了する。
【００６１】
これに対し、ＩＰ電話端末５０Ａと相手先のファクシミリ装置１０Ｂの通信が成立したと判定された場合（ステップＳ６０４ＹＥＳ）、次いで、事前捕捉先発呼制御部１８３は、ファクシミリ装置１０Ａの操作／表示部１２において手動によるファクシミリ送信操作（ＦＡＸ送信ボタン押下）がなされたかどうかをチェックする（ステップＳ６０５）。
【００６２】
ここで、ＦＡＸ送信ボタンが押下されない場合（ステップＳ６０５ＮＯ）、ＩＰプロトコル監視部２５は、その後に取得されるプロトコル情報に基づき、関連するＩＰ電話端末５０Ａの通信が終了したかどうかをチェックする（ステップＳ６０６）。
【００６３】
そして、ＩＰ電話端末５０Ａの通信が終了していない場合（ステップＳ６０６ＮＯ）には、ステップＳ６０５の処理に戻り、通信が終了した場合（ステップＳ６０６ＹＥＳ）には、事前捕捉先発呼制御部１８３が既にＲＡＭ１７に記憶している発呼先のアドレス情報を削除し（ステップＳ６１１）、処理を終了する。
【００６４】
これに対し、ＦＡＸ送信ボタンが押下された場合（ステップＳ６０５ＹＥＳ）、事前捕捉先発呼制御部１８３は、それまでにＲＡＭ１７に記憶してある発呼先のアドレス情報を用いて当該発呼先に発呼（ステップＳ６０７）する。
【００６５】
具体的には、事前捕捉先発呼制御部１８３は、ＦＡＸ送信ボタンが押下されることによりＳＩＰ呼制御部２１に発呼開始を指示し、ＲＡＭ１７に記憶されている相手先アドレス情報を用いてＩＰ網４０に発呼するように制御する。
【００６６】
発呼後、システム制御部１８では、相手先のファクシミリ装置１０Ｂから応答があったかどうかをＳＩＰ呼制御部２１を通じて監視する（ステップＳ６０８）。
【００６７】
ここで、相手先のファクシミリ装置１０Ｂから応答がない場合（ステップＳ６０８ＮＯ）、次いで、システム制御部１８は、リトライ回数が満了する等の理由で通信が終了したかどうかをチェックする（ステップＳ６０９）。
【００６８】
ここで、通信が終了していない間（ステップＳ６０９ＮＯ）はステップＳ６０８の処理に戻り、通信が終了した場合（ステップＳ６０９ＹＥＳ）には、事前捕捉先発呼制御部１８３が既にＲＡＭ１７に記憶している発呼先のアドレス情報を削除し（ステップＳ６１１）、処理を終了する。
【００６９】
一方、ステップＳ６０７で相手先のファクシミリ装置１０Ｂの発呼した後、該相手先から応答があった場合（ステップＳ６０８ＹＥＳ）、システム制御部１８は、ファクシミリ送信処理を行ない（ステップＳ６１０）、送信終了後、事前捕捉先発呼制御部１８３が既にＲＡＭ１７に記憶している発呼先のアドレス情報を削除し（ステップＳ６１１）、処理を終了する。
【００７０】
なお、上記ステップＳ６１０でのファクシミリ送信処理においては、例えば、ＦＡＸ送信ボタンを押下する前に予め読取部１３にセットしておいた送信原稿を該読取部１３で読み取り、この読取った送信原稿の画情報を画像処理部１５で画像処理した後、画像蓄積部１６に蓄積する。
【００７１】
そして、更に、画像蓄積部１６から画像処理後の画像データを読み出してＴ．３８伝送制御部１９に送り、該Ｔ．３８伝送制御部１９からインターネット通信制御部５０を介して相手先のファクシミリ装置１０Ｂに送信する。
【００７２】
なお、図６に示す連携運用動作時、ファクシミリ装置１０Ａにおいては、関連するＩＰ電話端末５０Ａの相手先端末への発呼により当該発呼先端末のアドレス情報が記憶され、次いでＩＰ電話端末５０Ａとその発呼先端末との通信が成立した後であれば、ファクシミリ装置１０Ａでの手動ファクシミリ送信操作がなされる前にＩＰ電話端末５０Ａでオフフック操作がなされた場合も、その後の手動ファクシミリ送信制御に支障を与えることはない。
【００７３】
このように、第１の実施例に係わるインターネットファクシミリ装置では、自装置１０ＡとＩＰ電話端末５０Ａとの関連付けを登録する機能と、登録されたＩＰ電話端末（関連するＩＰ電話端末）５０Ａの通信状態を監視する機能と、通信状態の監視中、関連するＩＰ電話端末５０Ａの発呼先のファクシミリ装置５０Ｂのアドレス情報を記憶しておき、関連するＩＰ電話端末５０Ａと発呼先との通信が成立した時に、手動ＦＡＸ送信操作に従い、それまでに記憶している発呼先のアドレス情報を用いて発呼する機能とを設けることにより、関連するＩＰ電話端末５０Ａの電話機能と連携して手動によるファクシミリ送信を実現できる。
【００７４】
かかる構成によれば、ファクシミリ装置１０Ａ本体と、関連するＩＰ電話端末５０Ａとを、通信状態を監視可能な通信手段を介してそれぞれ別体として配置するだけで良い。
【００７５】
従って、ＩＰ網におけるＩＰ電話の仕様（コーデック方式）が変更されても、該変更後のコーデック方式に適合するＩＰ電話端末を市場から買い求めてファクシミリ装置本体に対して別体として配置すれば良く、ＩＰ電話機能を内蔵しているインターネットＦＡＸがＩＰ電話のコーデック方式が変更される毎に当該装置全体を設計し直す必要に迫られる場合のようなコスト負担は回避できる。
【００７６】
しかも、本発明のインターネットファクシミリ装置によれば、手動ＦＡＸ送信操作に基づく発呼時には、それ以前、関連するＩＰ電話端末が発呼した時に記憶しておいた発呼先のアドレス情報を利用するため、ユーザはファクシミリ装置において相手先のアドレス情報を繰り返し入力する必要がなく、操作も簡略化できる。
【００７７】
なお、本発明に係わるインターネットファクシミリ装置では、関連するＩＰ電話端末とその発呼先のファクシミリ装置との通信が成立した時点で手動ＦＡＸ送信操作を受付けるようになっており、手動ファクシミリ送信を円滑に行うには、関連するＩＰ電話端末の通信成立を容易に把握できることが望ましい。
【００７８】
かかる観点から、本発明の変形例としては、第１の実施例で述べた機能に加えて、例えば、以下の第２の実施例に示すように、関連するＩＰ電話端末の通信状態をユーザに報知する機能を付加しても良い。
【００７９】
図７は、第２の実施例に係わるインターネットファクシミリ装置（以下、ファクシミリ装置と略称する）１０−２の機能構成を示すブロック図である。
【００８０】
このファクシミリ装置１０−２は、例えば、システム制御部１８内に、通信状態報知制御部１８５を有する以外は第１の実施例に係わるファクシミリ装置１０−１と同様の構成を有する。
【００８１】
通信状態報知制御部１８５は、ＩＰプロトコル監視部２５から、関連するＩＰ電話端末の通信状態の監視結果を取得し、該監視結果に基づいて当該ＩＰ電話端末の通信状態をユーザに報知する制御を行なう。
【００８２】
具体的な報知制御として、通信状態報知制御部１８５は、ＩＰプロトコル監視部２５の監視結果に対応するＩＰ電話端末の通信状態を示すメッセージを例えば操作／表示部１２の表示パネル上に表示する（図９参照）制御を行う。
【００８３】
以下、第２の実施例に係わるファクシミリ装置１０−２の動作について説明する。
【００８４】
なお、この説明では、便宜上、図３に示すネットワーク構成を援用する。つまり、この動作は、第２の実施例に係わるファクシミリ装置１０−２は、図３に示すネットワーク中にファクシミリ装置１０Ａとして配置され、関連するＩＰ電話端末としてＩＰ電話端末５０Ａを登録していることを前提とする。
【００８５】
更に、ファクシミリ装置１０−２は、図３のネットワーク中でファクシミリ装置１０Ｂに特定して発呼するのではなく、任意のファクシミリ装置（例えば、１０Ｂ）やＩＰ電話端末（例えば、５０Ｂ）にも発呼する可能性があることを前提にしている。
【００８６】
図８は、上記前提下における第２の実施例に係わるファクシミリ装置１０−２の処理動作を示すフローチャートである。
【００８７】
図３に示すネットワーク中のファクシミリ装置１０Ａ（図７のファクシミリ装置１０−２に相当）において、ＩＰプロトコル監視部２５は、例えば所定の監視開始操作に基づき、関連するＩＰ電話端末５０Ａのプロトコルの監視を開始する（ステップＳ８０１）。
【００８８】
プロトコル監視開始後、プロトコル情報として発呼情報（図５参照）が取得されると、ＩＰプロトコル監視部２５は、該発呼情報の発呼元アドレス情報を参照し、該発呼元アドレス情報が関連するＩＰ電話端末５０Ａのアドレス情報に一致するかどうかにより、関連するＩＰ電話端末５０Ａが発呼したかどうかをチェックし、関連するＩＰ電話端末５０Ａが発呼したと判定された場合（ステップＳ８０２ＹＥＳ）、システム制御部１８（事前捕捉先発呼制御部１８３）は、既に取得している発呼情報から発呼先アドレス情報を読み出し、これを関連するＩＰ電話端末５０Ａの発呼先の情報として例えばＲＡＭ１７に記憶する（ステップＳ８０３）。
【００８９】
ここまでの処理動作は、図６におけるステップＳ６０１〜Ｓ６０３の処理動作と同じである。
【００９０】
ステップＳ８０３でＩＰ電話端末５０Ａの発呼先の情報が記憶された後、システム制御部１８（通信状態報知制御部１８５）は、ＩＰプロトコル監視部２５から、ステップＳ８０２での通信状態の検出結果と、その時の発呼情報（図５参照）から抽出された発呼元アドレス情報と発呼先アドレス情報を受取ることにより、ＩＰ電話端末５０Ａが発呼中であることを示す発呼中メッセージを表示する（ステップＳ８０４）。
【００９１】
図９は、通信状態報知制御部１８５における通信状態報知用メッセージの表示例を示す図である。
【００９２】
図９において、同図（ａ）が上記ステップＳ８０４での発呼中メッセージの表示例を示しており、ステップＳ８０２での通信状態検出結果（ＩＰ電話端末が発呼）とその検出に際して認識された発呼元アドレス情報並びに発呼先アドレス情報に基づき、“ＩＰ電話（１２９．２４９．１９６．１２３）が０５０７７７９９９へ発呼中です。”という内容の発呼中メッセージ１２５ａを操作／表示部１２の表示パネル１２１上に表示する。
【００９３】
その後、ＩＰプロトコル監視部２５は、関連するＩＰ電話端末５０ＡのＩＰプロトコルの進行に合わせて取り込まれたＩＰプロトコル情報に基づき、該ＩＰ電話端末５０Ａと発呼先端末（ＩＰ電話端末５０Ａやファクシミリ装置１０Ｂ等）との通信が確立されたかどうかをチェックする（ステップＳ８０５）。
【００９４】
ここで、ＩＰ電話端末５０Ａと相手先端末の通信が成立した場合（ステップＳ８０５ＹＥＳ）、システム制御部１８（通信状態報知制御部１８５）は、操作／表示部１２の表示パネル１２１上に、ＩＰ電話端末５０Ａが通信中であることを示す通信中メッセージを表示する（ステップＳ８０６）。
【００９５】
図９において、同図（ｂ）が上記ステップ８０６での通信中メッセージの表示例を示しており、ステップＳ８０５での通信状態検出結果（通信成立）と、ステップＳ８０４で既に認識している発呼元並びに発呼先情報に基づき、例えば、“ＩＰ電話（１２９．２４９．１９６．１２３）が０５０７７７９９９と通話中です。”という内容の通信中メッセージ１２５ｂを表示する。
【００９６】
この通話中メッセージ１２５ｂの表示後、システム制御部１８（事前捕捉先に発呼制御部１８３）は、操作／表示部１２の操作パネル上で手動によるファクシミリ送信操作（ＦＡＸ送信ボタン押下）がなされたかどうかをチェックする（ステップＳ８０７）。
【００９７】
ここで、ＦＡＸ送信ボタンが押下された場合（ステップＳ８０７ＹＥＳ）、事前捕捉先発呼制御部１８３は、ＳＩＰ呼制御部２１に発呼開始を指示し、それまでにＲＡＭ１７に既に記憶されている発呼先のアドレス情報を用いて当該発呼先に発呼（ステップＳ８０８）するように制御し、当該発呼後、相手先端末から応答があったかどうかをＳＩＰ呼制御部２１を通じて監視する（ステップＳ８０９）。
【００９８】
ここで、相手先端末〔ファクシミリ装置（例えば、１０Ｂ）〕から応答があった場合（ステップＳ８０９ＹＥＳ）、事前捕捉先発呼制御部１８３は、この相手先装置に対してファクシミリ送信処理を行う（ステップＳ８１０）。
【００９９】
ファクシミリ送信終了後、ＩＰプロトコル監視部２５は、なおもＩＰプロトコルの監視を続け、該監視中に取り込んだプロトコル情報に基づき、関連するＩＰ電話端末５０Ａの通信が終了したかどうかをチェックする（ステップＳ８１１）。
【０１００】
ここで、ＩＰ電話端末５０Ａが通信終了している場合（ステップＳ８１１ＹＥＳ）、通信状態報知制御部１８５は、ＩＰ電話端末５０Ａが通信終了したことを示す通信終了メッセージを操作／表示部１２の表示パネル１２１上に表示し（ステップＳ８１２）、次いで、、事前捕捉先発呼制御部１８３が既にＲＡＭ１７に記憶している発呼先のアドレス情報を削除し（ステップＳ８１３）、一連の処理を終了する。
【０１０１】
図９において、同図（ｃ）が上記ステップ８１２での通信終了メッセージの表示例を示しており、ステップＳ８１１での通信状態検出結果（ＩＰ電話端末通信終了）と、ステップＳ８０４で既に認識している発呼元並びに発呼先情報に基づき、例えば、“ＩＰ電話（１２９．２４９．１９６．１２３）が通話を終了しました。”という内容の通信終了メッセージ１２５ｃを表示する。
【０１０２】
また、上記一連の処理動作中、ステップＳ８０５において、ＩＰ電話端末５０Ａと相手先端末の通信が成立しなかった場合（ステップＳ８０５ＮＯ）も、通信状態報知制御部１８５は、関連するＩＰ電話端末５０Ａが通信終了したことを示す通信終了メッセージ１２５ｃ〔図９（ｃ）参照〕を表示パネル１２１上に表示し（ステップＳ８１２）、次いで、既にＲＡＭ１７に記憶している発呼先のアドレス情報を削除し（ステップＳ８１３）、処理を終了する。
【０１０３】
また、上記ステップＳ８０７において、ＦＡＸ送信ボタンが押下されない場合（ステップＳ８０７ＮＯ）、ＩＰプロトコル監視部２５は、その時点までに取得しているプロトコル情報に基づき、関連するＩＰ電話端末５０Ａの通信が終了したかどうかをチェックする（ステップＳ８２１）。
【０１０４】
ここで、ＩＰ電話端末５０Ａの通信が終了していない場合（ステップＳ８２１ＮＯ）、ステップＳ８０７の処理に戻り、通信が終了した場合（ステップＳ８２１ＹＥＳ）には、操作／表示部１２の表示パネル１２１上に図９（ｃ）に示すような通信終了メッセージ１２５ｃを表示し（ステップＳ８１２）、次いで、事前捕捉先発呼制御部１８３が既にＲＡＭ１７に記憶している発呼先のアドレス情報を削除し（ステップＳ８１３）、処理を終了する。
【０１０５】
また、上記ステップＳ８０９において、相手先端末から応答がない場合（ステップＳ８０９ＮＯ）、次いで、システム制御部１８は、リトライ回数が満了する等の理由でファクシミリ装置１０Ａの通信が終了したかどうかをチェックする（ステップＳ８３１）。
【０１０６】
ここで、ファクシミリ装置１０Ａの通信が終了した場合（ステップＳ８３１ＹＥＳ）、ＩＰプロトコル監視部２５は、ステップＳ８１１に進み、関連するＩＰ電話端末５０Ａの通信が終了したかどうかをチェックする。
【０１０７】
そして、関連するＩＰ電話端末１０Ａの通信が終了している場合（ステップＳ８１１ＹＥＳ）には、上述した如くステップＳ８１２以降の処理に進み、通信が終了していない場合（ステップＳ８１１ＮＯ）は、ステップＳ８０７以降の処理を繰る返す。
【０１０８】
また、上記ステップＳ８３１で、ファクシミリ装置１０Ａの通信が終了していないと判定された場合（ステップＳ８３１ＮＯ）、ＩＰプロトコル監視部２５は、関連するＩＰ電話端末５０Ａの通信が終了したかどうかをチェックする（ステップＳ８３２）。
【０１０９】
ここで、ＩＰ電話端末５０Ａの通信が終了していない場合（ステップＳ８３２ＮＯ）、ステップＳ８０９の処理に戻り、通信が終了した場合（ステップＳ８３２ＹＥＳ）には、、通信状態報知制御部１８５が操作／表示部１２の表示パネル１２１上に図９（ｃ）に示すような通信終了メッセージ１２５ｃを表示し（ステップＳ８１２）、次いで、事前捕捉先発呼制御部１８３が既にＲＡＭ１７に記憶している発呼先のアドレス情報を削除し（ステップＳ８１３）、処理を終了する。
【０１１０】
このように、第２の実施例に係わるインターネットファクシミリ装置では、第１の実施例に係わるインターネットファクシミリ装置の機能に加え、関連するＩＰ電話端末の通信状態を監視する機能からその監視結果を取得し、関連するＩＰ電話端末の通信状態を報知するメッセージを表示パネル上に表示する機能を設けたものである。
【０１１１】
この構成によれば、ファクシミリ装置にＩＰ電話端末を関連付けて用いる場合、ユーザは、ファクシミリ装置の表示パネル上に表示された通信状態報知メッセージを見ることで、関連するＩＰ電話端末の通信状態を把握できる。
【０１１２】
本発明のインターネットファクシミリ装置の構成上の特徴として、関連するＩＰ電話端末とその発呼先のファクシミリ装置との通信が成立した時点で手動ＦＡＸ送信操作を受付けるようになっているが、第２の実施例の構成によれば、こうしたケースにおいて、関連するＩＰ電話端末の通信が成立したことを対応するメッセージから容易に把握でき、上記通信成立時点から速やかに手動ＦＡＸ送信操作を行うことで、事前に捕捉した発呼先への手動ファクシミリ送信制御を円滑に行うことができる。
【０１１３】
なお、本発明は、上記し、且つ図面に示す実施例に限定することなく、その要旨を変更しない範囲内で適宜変形して実施できるものである。
【０１１４】
例えば、上記実施例では、インターネットファクシミリ装置１０−１，１０−２に関連付けされるＩＰ電話端末は単一であった（図２参照）が、複数のＩＰ電話端末（Ｎｏ．１，２，３，…）を関連付け、該ＩＰ電話端末毎に、そのＩＰアドレスと該ＩＰアドレスに対応するＩＰ電話番号を登録しても良い。
【０１１５】
【発明の効果】
以上説明したように、本発明によれば、自装置と関連付けられたＩＰ電話端末の通信状態を監視し、該ＩＰ電話端末と相手先端末との通信成立後に該相手先端末のアドレス情報を利用して手動ファクシミリ送信を行うようにしたため、ＩＰ電話の仕様が変更になっても、対応する仕様のＩＰ電話端末を購入してＩＰ対応のファクシミリ装置（インターネットＦＡＸ）にその関連付けを登録するだけ良く、ＩＰ電話のコーデック方式が増えてもファクシミリ装置自体のコストへの影響を受けることなく、インターネット上でのリアルタイムファクシミリ通信を実現できる。
しかも、本発明によれば、ＩＰ電話端末が発呼した際に、相手先端末のアドレス情報を記憶しておき、該アドレス情報を利用して、ＩＰ電話端末が発呼した相手先端末と同じ相手先にファクシミリ送信を行うため、ユーザは、相手先端末のアドレス情報を繰り返し入力する必要が無くなり、ＩＰ網に対応する電話機能を内蔵したものと変わらない良好な操作性を維持できる。
【図面の簡単な説明】
【図１】第１の実施例に係るインターネットファクシミリ装置の機能構成を示すブロック図。
【図２】関連端末登録テーブルの一例を示す図。
【図３】インターネットファクシミリ装置と関連するＩＰ電話端末を含むネットワークの構成を示す図。
【図４】ＩＰ電話端末の機能構成を示すブロック図。
【図５】ＩＰ電話端末で扱われるプロトコル情報の１つである発呼情報の構成を示す図。
【図６】第１の実施例に係わるインターネットファクシミリ装置の処理動作を示すフローチャート。
【図７】第２の実施例に係るインターネットファクシミリ装置の機能構成を示すブロック図。
【図８】第２の実施例に係わるインターネットファクシミリ装置の処理動作を示すフローチャート。
【図９】第２の実施例に係わる通信状態報知用メッセージの表示例を示す図。
【符号の説明】
１０−１，１０−２，１０Ａ，１０Ｂ…インターネットファクシミリ装置、１１…中央処理装置（ＣＰＵ）、１２…操作／表示部、１２１…表示パネル、１２５ａ…発呼中メッセージ、１２５ｂ…通信中メッセージ、１２５ａ…通信終了メッセージ、１３…読取部、１４…記録部、１５…画像処理部、１６…画像蓄積部、１７…ＲＡＭ（ランダム・アクセス・メモリ）、１８…システム制御部、１８３…事前捕捉先発呼制御部、１８５…通信状態報知制御部、１９…Ｔ．３８伝送制御部、２０…インターネット通信制御部、２１…ＳＩＰ呼制御部、２３…ＩＰ電話管理部、２３１…関連端末登録テーブル、２５…ＩＰプロトコル監視部、３０…通信手段、４０…ＩＰ網、５０Ａ，５０Ｂ…ＩＰ電話端末
【図１】
2004282226.tif 000003
【図２】
2004282226.tif 000004
【図３】
2004282226.tif 000005
【図４】
2004282226.tif 000006
【図５】
2004282226.tif 000007
【図６】
2004282226.tif 000008
【図７】
2004282226.tif 000009
【図８】
2004282226.tif 000010
【図９】
2004282226.tif 000011